(57)【要約】【課題】上に乗せられた敷き寝具の位置ずれを抑制することができるマットレスを提供する。【解決手段】一実施形態に係るマットレスは、ベッドフレームの床板の上に乗せられるマットレス１０である。マットレス１０は、敷き布団３に接触する上面１１ａと、床板に接触する下面１１ｂと、上面１１ａに設けられており、上面１１ａに乗せられた敷き布団３の移動を規制する規制部材１２と、を備えている。マットレス１０は、ベッドフレームの床板と敷き布団３との間に介在する。【選択図】図２
2018057492.tif 000002
【特許請求の範囲】
【請求項１】
ベッドフレームの床板の上に乗せられると共に敷き寝具が乗せられるマットレスであって、
前記敷き寝具に接触する上面と、
前記床板に接触する下面と、
前記上面に設けられており、前記上面に乗せられた前記敷き寝具の移動を規制する規制部材と、
を備えるマットレス。
【請求項２】
前記規制部材は、前記敷き寝具の一部を収容可能な箱状とされており、前記上面の長手方向の一端及び他端のそれぞれに一対に設けられる、
請求項１に記載のマットレス。
【請求項３】
前記規制部材は、前記マットレスの一の側面から前記上面を超えて前記一の側面とは異なる方向を向く他の側面にまで延びる帯状とされている、
請求項１に記載のマットレス。
【請求項４】
前記敷き寝具は、下方に延びる帯状部材を備え、
前記規制部材は、前記上面から延びる帯状とされており、
前記帯状部材には、面ファスナの一方のファスナ部が固定され、
前記規制部材には、前記面ファスナの他方のファスナ部が固定されている、
請求項１に記載のマットレス。
【発明の詳細な説明】
【技術分野】
【０００１】
本発明は、ベッドフレームの上に乗せられるマットレスに関する。
【背景技術】
【０００２】
ベッドフレームの上に乗せられるマットレスとしては、従来から種々のものが知られている。特開２０１４−１８４１１０号公報には、ベッドフレームと、ベッドフレームの上に乗せられる直方体状のマットレスと、マットレスの上に乗せられる敷き寝具とを備えた寝具の構造が記載されている。このマットレスは、直方体状のマットレスカバーに上から収容されており、マットレスカバーの下部四隅には収容したマットレスを保持するゴム紐が設けられている。
【先行技術文献】
【特許文献】
【０００３】
【特許文献１】特開２０１４−１８４１１０号公報
【発明の概要】
【発明が解決しようとする課題】
【０００４】
前述した寝具の構造では、ベッドフレームの上にマットレスカバーが載置され、マットレスカバーの上にクッション材及びベッドパッドが敷き寝具として載置されている。よって、使用者が敷き寝具の上で寝ているうちにマットレスに対して敷き寝具がずれてくるという問題が生じる。
【０００５】
本発明は、上に乗せられた敷き寝具の位置ずれを抑制することができるマットレスを提供することを目的とする。
【課題を解決するための手段】
【０００６】
本発明に係るマットレスは、ベッドフレームの床板の上に乗せられると共に敷き寝具が乗せられるマットレスであって、敷き寝具に接触する上面と、床板に接触する下面と、上面に設けられており、上面に乗せられた敷き寝具の移動を規制する規制部材と、を備える。
【０００７】
このマットレスは、ベッドフレームの床板と敷き寝具との間に介在するので、床板の上に直接敷き寝具が乗せられた場合と比較して、床板の破損をより確実に防ぐことができると共に寝心地を良好にすることができる。また、このマットレスは、床板に接触する下面と、敷き寝具に接触する上面とを備えており、更に、この上面に敷き寝具の移動を規制する規制部材が設けられている。従って、マットレスの上面に乗せられた敷き寝具の移動を下方から規制することができるので、上に乗せられた敷き寝具の位置ずれを抑制することができる。また、下方に位置するマットレスが敷き寝具の移動を規制することにより、敷き寝具としては従来のものを用いることができる。従って、敷き寝具を長期間使用し続けることができる。
【０００８】
また、規制部材は、敷き寝具の一部を収容可能な箱状とされており、上面の長手方向の一端及び他端のそれぞれに一対に設けられてもよい。この場合、箱状とされた規制部材に敷き寝具の一部を収容することによって敷き寝具の移動を規制することができる。よって、敷き寝具が移動しようとしても、箱状の規制部材によって当該移動を規制できるので、敷き寝具が規制部材の外に出ていくのを確実に防止することができる。また、規制部材は長手方向の一端及び他端のそれぞれに設けられるので、長手方向に沿って敷き寝具を収容しやすくすることができると共に、長手方向の両側から確実に敷き寝具を保持することができる。
【０００９】
また、規制部材は、マットレスの一の側面から上面を超えて当該一の側面とは異なる方向を向く他の側面にまで延びる帯状とされていてもよい。この場合、帯状の規制部材に敷き寝具を通すことによって規制部材に敷き寝具を括り付けることができ、敷き寝具の移動を規制することができる。よって、ずれ対策が施されていない従来の敷き寝具を用いた場合であっても、敷き寝具を規制部材に通すことによって確実に位置ずれを防止することができる。従って、良い寝心地を維持しつつ従来の敷き寝具を長期にわたって使い続けることができる。
【００１０】
また、敷き寝具は、下方に延びる帯状部材を備え、規制部材は、上面から延びる帯状とされており、帯状部材には、面ファスナの一方のファスナ部が固定され、規制部材には、面ファスナの他方のファスナ部が固定されていてもよい。この場合、敷き寝具の下方に延びる帯状部材に固定された一方のファスナ部と、マットレスの上面から延びる帯状の規制部材に固定された他方のファスナ部とを接着することにより、マットレスに対する敷き寝具の位置ずれを抑制できる。従って、面ファスナという簡易な構成により、容易に位置ずれ抑制の効果を発揮することができる。
【発明の効果】
【００１１】
本発明によれば、上に乗せられた敷き寝具の位置ずれを抑制することができる。
【図面の簡単な説明】
【００１２】
【図１】第１実施形態に係るマットレスを備えた寝具構造を示す斜視図である。
【図２】図１のマットレス及び敷布団を示す斜視図である。
【図３】第２実施形態に係るマットレスを備えた寝具構造を示す斜視図である。
【図４】図３のマットレス及び敷布団を示す斜視図である。
【図５】第３実施形態に係るマットレスと敷布団とを示す斜視図である。
【図６】図５のマットレス及び敷布団を示す側面図である。
【発明を実施するための形態】
【００１３】
以下、図面を参照しながら本発明に係るマットレスの実施形態について説明する。図面の説明において、同一又は相当する要素には同一の符号を付し、重複する説明を省略する。
【００１４】
（第１実施形態）
図１は、第１実施形態に係るマットレス１０を備えた寝具構造１を示す斜視図である。図１に示されるように、寝具構造１は、マットレス１０の他に、ベッドフレーム２と、敷き布団３とを備えている。ベッドフレーム２は、マットレス１０が乗せられる床板２ａと、サイドレール２ｂと、ヘッドボード２ｃと、フットボード２ｄとを備えている。サイドレール２ｂは、寝具構造１の幅方向Ｄ２に一対に設けられており、寝具構造１の長手方向Ｄ１に延在している。ヘッドボード２ｃ及びフットボード２ｄは、寝具構造１の長手方向Ｄ１の両端それぞれに設けられており、寝具構造１の幅方向Ｄ２に延在している。
【００１５】
敷き布団３は、長手方向Ｄ１及び幅方向Ｄ２に延びる直方体状を成しており、高さ方向Ｄ３に厚さを有する。一例として、敷き布団３の長手方向Ｄ１の長さは１９５ｃｍであり、敷き布団３の厚さ（高さ方向Ｄ３の長さ）は９ｃｍである。また、敷き布団３の幅方向Ｄ２の長さは、ベッドフレーム２のサイズに応じて適宜変更されるが、例えば、ベッドフレーム２がシングルサイズである場合には９７ｃｍ、ベッドフレーム２がセミダブルサイズである場合には１２０ｃｍ、ベッドフレーム２がダブルサイズである場合には１４０ｃｍである。敷き布団３は、幅方向Ｄ２に延びる２本の折り曲げ部３ａを備えており、２本の折り曲げ部３ａは、例えば、敷き布団３を長手方向Ｄ１に三等分している。この折り曲げ部３ａによって、敷き布団３は、長手方向Ｄ１に３つに折り曲げることが可能となっている。
【００１６】
マットレス１０は、直方体状の本体部１１と、本体部１１に乗せられた敷き布団３の移動を規制する規制部材１２とを備えている。本体部１１は、例えば、内部に複数のコイルスプリングが配置されて形成されたハニカム構造を有するスプリングマットレスであるが、所謂健康敷布団に用いられるベースマットであってもよい。本体部１１の平面視の形状及び大きさは、敷き布団３の平面視の形状及び大きさと略同一であってもよい。また、本体部１１の厚さは、敷き布団３の厚さよりも厚く、例えば１３．５ｃｍである。
【００１７】
図２に示されるように、本体部１１は、敷き布団３に接触する上面１１ａと、上面１１ａの反対側を向くと共に床板２ａに接触する下面１１ｂと、上面１１ａ及び下面１１ｂを互いに接続すると共に長手方向Ｄ１及び幅方向Ｄ２に延びるように周回する側面１１ｃと、を有する。また、本体部１１は、本体部１１の内部の換気を行う複数のベンチレータ１１ｄを側面１１ｃに備えており、例えば、長手方向Ｄ１に沿って等間隔に配置された３個のベンチレータ１１ｄの組が幅方向Ｄ２に一対に設けられている。
【００１８】
規制部材１２は、マットレス１０の長手方向Ｄ１の一端及び他端のそれぞれに一対に設けられている。規制部材１２は、例えば、ハニカム生地によって構成されている。規制部材１２は、敷き布団３の長手方向Ｄ１の端部を収容可能な箱状とされており、本体部１１の上面１１ａに設けられている。
【００１９】
規制部材１２の外観は直方体状とされている。規制部材１２は、本体部１１の側面１１ｃに沿って上方に延びる側面部１２ａと、側面部１２ａの上端で上面１１ａに沿って延びる天面部１２ｂと、マットレス１０の長手方向Ｄ１を向く長方形状の開口１２ｃと備えている。側面部１２ａ、天面部１２ｂ及び開口１２ｃの形状は、いずれも長方形状である。
【００２０】
規制部材１２は、側面部１２ａの下端が本体部１１の外縁１１ｅに縫い込まれることによって本体部１１に固定されている。開口１２ｃの形状は、例えば、敷き布団３の幅方向Ｄ２に延びる側面３ｂの形状と相似であり、開口１２ｃの面積は、側面３ｂの面積と同程度とされている。これにより、開口１２ｃに敷き布団３を収容して規制部材１２によって敷き布団３を固く保持することが可能となる。
【００２１】
また、規制部材１２は、ゴム部材１２ｄを内蔵している。ゴム部材１２ｄは、開口１２ｃに沿うように配置されており、高さ方向Ｄ３及び幅方向Ｄ２に延在している。このようにゴム部材１２ｄが内蔵されていることにより、規制部材１２に伸縮性を持たせることが可能となっており、敷き布団３を更に固く保持でき、更に敷き布団３とは大きさが異なる敷き寝具を規制部材１２に収容することが可能である。なお、開口１２ｃに沿うように配置されたゴム部材１２ｄとは異なる配置態様のゴム部材を備えていてもよく、ゴム部材の配置態様は特に限定されない。
【００２２】
次に、本実施形態に係るマットレス１０から得られる効果について説明する。
【００２３】
マットレス１０は、ベッドフレーム２の床板２ａと敷き布団３との間に介在するので、床板２ａの上に直接敷き布団３が乗せられた場合と比較して、床板２ａの破損をより確実に防ぐことができると共に寝心地を良好にすることができる。また、マットレス１０は、床板２ａに接触する下面１１ｂと、敷き布団３に接触する上面１１ａとを備えており、更に、この上面１１ａに敷き布団３の移動を規制する規制部材１２が長手方向Ｄ１の端部に一対に設けられている。
【００２４】
従って、マットレス１０の上面１１ａに乗せられた敷き布団３の移動を下側のマットレス１０によって規制できるので、上に乗せられた敷き布団３の位置ずれを抑制することができる。また、下側に位置するマットレス１０が敷き布団３の移動を規制することにより、敷き布団３の他、マットレス１０に乗せられる敷き寝具としては、従来のものを含めて種々のものを用いることができる。従って、当該敷き寝具を長期間使用し続けることができる。
【００２５】
また、規制部材１２は、敷き布団３の一部を収容可能な箱状とされており、上面１１ａの長手方向Ｄ１の一端及び他端のそれぞれに一対に設けられている。従って、箱状とされた規制部材１２に敷き布団３の長手方向Ｄ１の端部をそれぞれ収容することによって敷き布団３の移動をより確実に規制することができる。
【００２６】
よって、敷き布団３が移動しようとしても、箱状の規制部材１２によって当該移動を規制できるので、敷き布団３が規制部材１２の外に出ていくのを確実に防止することができる。また、規制部材１２は、長手方向Ｄ１の一端及び他端のそれぞれに設けられるので、長手方向Ｄ１に沿って敷き布団３を規制部材１２に収容しやすくすることができると共に、長手方向Ｄ１の両側から確実に敷き布団３を保持することができる。
【００２７】
（第２実施形態）
次に、第２実施形態に係るマットレス２０について図３及び図４を参照しながら説明する。マットレス２０は、規制部材１２とは形状、材料及び配置態様が異なる規制部材２２ａ，２２ｂを備えた点で第１実施形態と異なっている。以下では、第１実施形態と重複する説明を適宜省略する。マットレス２０は、第１実施形態と同様の本体部１１と、規制部材２２ａ，２２ｂとを備えている。
【００２８】
規制部材２２ａは、マットレス２０の長手方向Ｄ１の一端側（ヘッドボード２ｃ側）に設けられる。規制部材２２ａは、本体部１１の幅方向Ｄ２の一端に位置する側面１１ｃから、本体部１１の幅方向Ｄ２の他端に位置する側面１１ｃにまで延在する。規制部材２２ａは、弾性を有する帯状とされており、例えば硬いゴム状とされていてもよい。規制部材２２ａが上方に引っ張り上げられた状態で規制部材２２ａの下側に敷き布団３が通されることによって、規制部材２２ａが敷き布団３の移動を規制する。
【００２９】
規制部材２２ｂは、マットレス２０の長手方向Ｄ１の他端側（フットボード２ｄ側）において、マットレス２０の幅方向Ｄ２に一対に設けられている。各規制部材２２ｂは、長手方向Ｄ１に延びるマットレス２０の側面１１ｃの上端２０ａから、幅方向Ｄ２に延びるマットレス２０の側面１１ｃの上端２０ｂに向かって斜めに延びている。規制部材２２ｂは、例えば、ゴム状とされている。従って、各規制部材２２ｂが上方に引っ張り上げられた状態で各規制部材２２ｂの下に敷き布団３が通されることによって、各規制部材２２ｂが敷き布団３の移動を規制する。
【００３０】
以上、第２実施形態に係るマットレス２０は、第１実施形態と同様、上面１１ａに敷き布団３の移動を規制する規制部材２２ａ，２２ｂが設けられているので、上に乗せられた敷き布団３の位置ずれを抑制することができると共に、敷き布団３を長期間使用し続けることができる。
【００３１】
また、規制部材２２ａ，２２ｂは、マットレス２０の一の側面１１ｃから上面１１ａを超えて当該一の側面１１ｃとは異なる方向を向く他の側面１１ｃにまで延びる帯状とされている。従って、帯状の規制部材２２ａ，２２ｂに敷き布団３を通すことによって規制部材２２ａ，２２ｂに敷き布団３を括り付けることができ、敷き布団３の移動を規制することができる。
【００３２】
よって、ずれ対策が施されていない従来の敷き布団３（例えば、下面に引っ掛け用のゴム紐を備えていない敷き布団）を用いた場合であっても、敷き布団３を規制部材２２ａ，２２ｂに通すことによって確実に位置ずれを防止することができ、様々な種類の敷き寝具をマットレス２０に乗せつつ位置ずれの防止を実現させることが可能となる。従って、良い寝心地を維持しつつ従来の敷き寝具を長期にわたって使い続けることができる。
【００３３】
（第３実施形態）
続いて、第３実施形態に係るマットレス３０について図５及び図６を参照しながら説明する。図５及び図６に示されるように、マットレス３０は、第１実施形態と同様の本体部１１と、本体部１１の上面１１ａから上方に延びる４本の規制部材３２とを備えている。４本の規制部材３２は、マットレス３０の幅方向Ｄ２に延びる外縁３０ａに縫着されている。４本の規制部材３２のうち２本の規制部材３２は、マットレス３０の長手方向Ｄ１の一端の外縁３０ａに縫着されており、残り２本の規制部材３２は、長手方向Ｄ１の他端の外縁３０ａに縫着されている。
【００３４】
マットレス３０の長手方向Ｄ１の一端の外縁３０ａに固定された２本の規制部材３２は、例えば、マットレス３０の幅方向Ｄ２の中央に対して互いに対称となる位置に配置されている。マットレス３０の長手方向Ｄ１の他端の外縁３０ａに固定された２本の規制部材３２についても、例えば同様に配置されている。各規制部材３２は、長手方向Ｄ１に沿って延びる帯状部３２ａと、帯状部３２ａの先端の下面に固定されたファスナ部３２ｂとを備えている。
【００３５】
第３実施形態では、前述した敷き布団３とは異なる敷き布団３３を備えており、敷き布団３３は、その下面３３ａから下方に延びる帯状部材３３ｂを備えている。帯状部材３３ｂは、敷き布団３３の長手方向Ｄ１に沿って一対に設けられており、２本の帯状部材３３ｂは、例えば、長手方向Ｄ１の中央に対して互いに対称となる位置に設けられている。２本の帯状部材３３ｂのそれぞれは、長手方向Ｄ１に沿って互いに離間する方向に延びる帯状部３３ｃと、帯状部３３ｃの先端の上面に固定されたファスナ部３３ｄとを備えている。
【００３６】
前述した敷き布団３３の一方のファスナ部３３ｄと、規制部材３２の他方のファスナ部３２ｂとは、規制部材３２に敷き布団３３を接着固定するための面ファスナ３５を構成している。従って、各帯状部材３３ｂの一方のファスナ部３３ｄに、各規制部材３２の他方のファスナ部３２ｂを貼り付けることにより、各規制部材３２は、敷き布団３３の移動を確実に規制する。
【００３７】
以上、第３実施形態に係るマットレス３０では、敷き布団３３の位置ずれを規制する規制部材３２が設けられているので、敷き布団３３の位置ずれを抑制できる。また、敷き布団３３は、下方に延びる帯状部材３３ｂを備え、規制部材３２は、上面１１ａから延びる帯状とされており、帯状部材３３ｂには、面ファスナ３５の一方のファスナ部３３ｄが固定され、規制部材３２には、面ファスナ３５の他方のファスナ部３２ｂが固定されている。
【００３８】
よって、敷き布団３３の下方に延びる帯状部材３３ｂに固定された一方のファスナ部３３ｄと、マットレス３０の上面１１ａから延びる帯状の規制部材３２に固定された他方のファスナ部３２ｂとを接着することにより、マットレス３０に対する敷き布団３３の位置ずれを抑制できる。従って、面ファスナ３５という簡易な構成により、容易に位置ずれ抑制の効果を発揮することができる。
【００３９】
以上、本発明に係るマットレスの実施形態について説明したが、本発明は、前述した各実施形態に限定されることなく、各請求項に記載した要旨を変更しない範囲で変形し、又は他のものに適用したものであってもよい。すなわち、本発明は、特許請求の範囲に記載した要旨を変更しない範囲で種々の変形が可能である。
【００４０】
例えば、前述の実施形態では、３個のベンチレータ１１ｄの組が幅方向Ｄ２に一対に設けられた本体部１１を備えるマットレスについて説明したが、本体部の形状及び大きさは適宜変更可能である。また、マットレスが乗せられるベッドフレームの形状及び大きさについても適宜変更可能である。
【００４１】
また、前述の実施形態では、外観が直方体状とされた規制部材１２、ゴム状とされた規制部材２２ａ，２２ｂ、及び、帯状とされた規制部材３２について説明したが、規制部材の形状、大きさ、材料、数、及び配置態様は適宜変更可能である。
【００４２】
また、前述の実施形態では、マットレスの上に敷き布団３，３３が乗せられる例について説明したが、マットレスの上に乗せられる敷き寝具は、敷き布団３，３３以外のものであってもよい。例えば、敷き布団３に代えて、ベッドパッド又はオーバレイをマットレスの上に乗せてもよい。ベッドパッド及びオーバレイとしても様々な種類のものを乗せることができる。また、このような敷き布団以外の敷き寝具を乗せた場合であっても、下側のマットレスによって敷き寝具の位置ずれを規制することができる。
【符号の説明】
【００４３】
１…寝具構造、２…ベッドフレーム、２ａ…床板、２ｂ…サイドレール、２ｃ…ヘッドボード、２ｄ…フットボード、３，３３…敷き布団（敷き寝具）、３ａ…折り曲げ部、３ｂ…側面、１０，２０，３０…マットレス、１１…本体部、１１ａ…上面、１１ｂ…下面、１１ｃ…側面、１１ｄ…ベンチレータ、１１ｅ…外縁、１２，２２ａ，２２ｂ，３２…規制部材、１２ａ…側面部、１２ｂ…天面部、１２ｃ…開口、１２ｄ…ゴム部材、２０ａ，２０ｂ…上端、３０ａ…外縁、３２ａ…帯状部、３２ｂ…ファスナ部、３３ａ…下面、３３ｂ…帯状部材、３３ｃ…帯状部、３３ｄ…ファスナ部、３５…面ファスナ、Ｄ１…長手方向、Ｄ２…幅方向、Ｄ３…高さ方向。
【図１】
2018057492.tif 000003
【図２】
2018057492.tif 000004
【図３】
2018057492.tif 000005
【図４】
2018057492.tif 000006
【図５】
2018057492.tif 000007
【図６】
2018057492.tif 000008